(57)【要約】【課題】季節毎に負荷容量変動する場合にも、季節毎の負荷変動に関わりなくデマンド制御を行うこと。【解決手段】単位時間ごとの需要電力を計測する需要電力計測手段１１と、目標需要電力を設定する目標電力設定手段１２と、需要電力を予測し予測値が目標需要電力を超える場合にデマンド信号を出力する需要電力予測手段１３と、目標需要電力を季節毎に変更する年間スケジュール設定手段１４とを備え、季節毎に異なる負荷容量に対し、目標需要電力を自動的に変更するよう構成することにより、季節毎に負荷容量変動する場合にも、季節毎異なる負荷容量に対し、目標需要電力を自動的に変更することで季節に応じてデマンド制御行うことができる。【選択図】図１
2006174582.tif 000002
【特許請求の範囲】
【請求項１】
単位時間ごとの需要電力を計測する需要電力計測手段と、目標需要電力を設定する目標電力設定手段と、需要電力を予測し予測値が目標需要電力を超える場合にデマンド信号を出力する需要電力予測手段と、目標需要電力を季節毎に変更する年間スケジュール設定手段とを備え、季節毎に設定された目標需要電力に基づきデマンド制御を行うよう構成したことを特徴とするデマンド監視装置。
【請求項２】
目標需要電力を時刻毎に補正する補正手段を備えたことを特徴とする、請求項１に記載のデマンド監視装置。
【請求項３】
単位時間ごとの系統毎の需要電力を記憶し、その履歴を表示することを特徴とする、請求項１に記載のデマンド監視装置。
【発明の詳細な説明】
【技術分野】
【０００１】
本発明は需要電力を抑制するデマンド監視装置に関するものである。
【背景技術】
【０００２】
従来、この種のデマンド監視装置は系統毎の使用電力量にもとづき制御している（特許文献１参照）。
【０００３】
図４は、特許文献１に記載された従来のデマンド監視装置を示すブロック図である。図４に示すように、分散して配置された負荷群１ａ〜１ｃと、デマンド用電力計２と、制御装置３ａ〜３ｃと、主制御装置４と、操作端末機器５とからなり、全消費電力量の実測値から単位時間の全消費電力を予測し、この予測値にもとづいて全制御電力を求め、負荷群毎の現在の消費している制御可能電力に応じて全制御電力を分配し、各負荷群の負荷を制御するよう構成されている。
【特許文献１】特開昭６１−１３５３３７号公報
【発明の開示】
【発明が解決しようとする課題】
【０００４】
しかしながら、前記従来の構成では、年間を通じて目標目標需要電力が固定となる為、夏季等の負荷容量が集中する季節に合わせ目標目標需要電力を決定していた。
【０００５】
その為、夏季等の負荷容量が集中する季節にのみデマンド制御が行われ、冬季等の負荷容量が少ない場合に、デマンド制御が行われない。
【０００６】
この為、契約電力を削減する事による省マネー効果はあるものの年間を通じての省エネ効果がないという課題を有していた。
【０００７】
本発明は、前記従来の課題を解決するもので、季節毎に負荷容量が変動する場合にも、季節に応じてデマンド制御行うデマンド監視装置を提供することを目的とする。
【課題を解決するための手段】
【０００８】
前記従来の課題を解決するために、本発明のデマンド監視装置は、単位時間ごとの需要電力を計測する需要電力計測手段と、目標需要電力を設定する目標電力設定手段と、需要電力を予測し予測値が目標需要電力を超える場合にデマンド信号を出力する需要電力予測手段と、目標需要電力を季節毎に変更する年間スケジュール設定手段とを備え、季節毎に設定された目標需要電力に基づきデマンド制御を行うよう構成したものである。
【０００９】
これによって、季節毎に負荷容量変動する場合にも、季節毎異なる負荷容量に対し、目標需要電力を自動的に変更することで季節に応じてデマンド制御行う。
【発明の効果】
【００１０】
本発明のデマンド監視装置は、季節毎に負荷容量変動する場合にも、季節毎に目標需要電力を自動的に変更することで季節に応じてデマンド制御行うことができる。
【発明を実施するための最良の形態】
【００１１】
第１の発明は単位時間ごとの需要電力を計測する需要電力計測手段と、目標需要電力を設定する目標電力設定手段と、需要電力を予測し予測値が目標需要電力を超える場合にデマンド信号を出力する需要電力予測手段と、目標需要電力を季節毎に変更する年間スケジ
ュール設定手段とを備え、季節毎に設定された目標需要電力に基づきデマンド制御を行うよう構成することにより、季節毎に負荷容量変動する場合にも、季節毎に異なる負荷容量に対し、目標需要電力を自動的に変更することで季節に応じてデマンド制御行うことができる。
【００１２】
第２の発明は、第１の発明のデマンド監視装置に加えて、目標需要電力を時刻毎に補正する補正手段を備えることにより、時刻毎に異なる負荷容量に対し、目標需要電力を自動的に補正することで時刻に応じてデマンド制御行うことができる。
第３の発明は、第１または第２の発明の発明のデマンド監視装置に加えて、単位時間ごとの系統毎の需要電力を記憶し、その履歴を表示することにより、設定者は、この履歴にもとづき、年間の目標需要電力をスケジュールすることができるので、全体の需要電力の抑制や省エネに、過去の履歴を活用することができる。
【００１３】
（実施の形態１）
図１は、本発明の第１の実施の形態におけるデマンド監視装置の構成を示すブロック図である。
【００１４】
図１において、単位時間ごとの需要電力を計測する需要電力計測手段１１と、目標需要電力を設定する目標電力設定手段１２と、需要電力を予測し予測値が目標需要電力を超える場合にデマンド信号を出力する需要電力予測手段１３と、目標需要電力を季節毎に変更する年間スケジュール設定手段１４とを備え、季節毎に異なる負荷容量に対し、目標需要電力を自動的に変更するよう構成している。
【００１５】
以上のように構成されたデマンド監視装置について以下その動作、作用を説明する。
【００１６】
まず、需要電力計測手段１１は単位時間ごとの需要電力を計測する。
【００１７】
また、目標電力設定手段１２は、年間スケジュール設定手段１４により設定スケジュールに応じて目標需要電力を設定する。
【００１８】
需要電力予測手段１３は、需要電力計測手段１１の計測値から単位時間終了時の需要電力を予測し、予測値が目標電力設定手段１２の目標需要電力を超過する場合には、デマンド信号を出力する。
【００１９】
上記一連の動作を、単位時間ごとに繰り返し行い、季節毎に負荷容量変動する場合にも、季節毎異なる負荷容量に対し、目標需要電力を自動的に変更することで季節に応じてデマンド制御行うことができる。
【００２０】
（実施の形態２）
図２は、本発明の第２の実施の形態のデマンド監視装置の構成を示すブロック図である。
【００２１】
図２において、実施の形態１のデマンド監視装置に加えて、目標需要電力を時刻毎に補正する補正手段２１を備え構成している。
【００２２】
以上のように構成されたデマンド監視装置について、以下その動作、作用を説明する。なお、実施の形態１と同一の構成については、同一の番号を付与し説明を省略する。
【００２３】
まず、補正手段２１は、時刻に応じ、目標電力設定手段１２で設定する目標需要電力を補正する。時刻毎に異なる負荷容量に対し、目標需要電力を自動的に補正することで時刻
に応じてデマンド制御行うことができる。
【００２４】
（実施の形態３）
図３は、本発明の第３の実施の形態のデマンド監視装置の構成を示すブロック図である。
【００２５】
図３において、実施の形態１のデマンド監視装置に加えて、単位時間ごとの系統毎の需要電力を記憶し表示する需要電力履歴表示手段３１を備えている。
【００２６】
以上のように構成されたデマンド監視装置について、以下その動作、作用を説明する。
【００２７】
なお、実施の形態１と同一の構成については、同一の番号を付与し説明を省略する。
【００２８】
まず、需要電力履歴表示手段３１は、単位時間ごとの需要電力を記憶し、その履歴を表示する。
【００２９】
設定者は、年間の目標需要電力をスケジュールすることができるので、全体の需要電力の抑制や省エネに、過去の履歴を活用することができる。
【産業上の利用可能性】
【００３０】
以上のように、本発明にかかるデマンド監視装置は、季節毎に負荷容量変動する場合にも、季節毎に目標需要電力を自動的に変更することで季節に応じてデマンド制御行うことができる。
【図面の簡単な説明】
【００３１】
【図１】本発明の実施の形態１におけるデマンド監視装置のブロック図
【図２】本発明の実施の形態２におけるデマンド監視装置のブロック図
【図３】本発明の実施の形態３におけるデマンド監視装置のブロック図
【図４】従来のデマンド監視装置のブロック図
【符号の説明】
【００３２】
１１  需要電力計測手段
１２  目標電力設定手段
１３  需要電力予測手段
１４  年間スケジュール設定手段
【図１】
2006174582.tif 000003
【図２】
2006174582.tif 000004
【図３】
2006174582.tif 000005
【図４】
2006174582.tif 000006